(57)【要約】【課題】操縦安定性及びノイズ性能を向上させ得るタイヤを提供する。【解決手段】車両への装着の向きが指定されたタイヤである。外側トレッド端Ｔｏと内側トレッド端Ｔｉとが定められたトレッド部２を有している。トレッド部２は、第１主溝３及び第２主溝４と、外側トレッド端Ｔｏと第１主溝３との間に区分された外側陸部６と、第２主溝４と内側トレッド端Ｔｉとの間に区分された内側陸部８とを有している。外側陸部６には、第１主溝３から延びかつ外側陸部６内で途切れる複数の外側横溝２３が設けられている。内側陸部８には、内側トレッド端Ｔｉから延びかつ内側陸部８内で途切れる複数の内側横溝２０が設けられている。【選択図】図１
2020059459.tif 000002
【特許請求の範囲】
【請求項１】
車両への装着の向きが指定されたタイヤであって、
車両装着時に車両外側に位置する外側トレッド端と、車両装着時に車両内側に位置する内側トレッド端とが定められたトレッド部を有し、
前記トレッド部は、
前記外側トレッド端とタイヤ赤道との間でタイヤ周方向に連続して延びる第１主溝と、
前記内側トレッド端とタイヤ赤道との間でタイヤ周方向に連続して延びる第２主溝と、
前記外側トレッド端と前記第１主溝との間に区分された外側陸部と、
前記第２主溝と前記内側トレッド端との間に区分された内側陸部とを有し、
前記外側陸部には、前記第１主溝から延びかつ前記外側陸部内で途切れる複数の外側横溝が設けられ、
前記内側陸部には、前記内側トレッド端から延びかつ前記内側陸部内で途切れる複数の内側横溝が設けられている、
タイヤ。
【請求項２】
前記外側陸部のタイヤ軸方向の幅、及び、前記内側陸部のタイヤ軸方向の幅は、それぞれ、トレッド幅の０．２５〜０．３５倍である、請求項１記載のタイヤ。
【請求項３】
前記外側陸部のタイヤ軸方向の幅は、前記内側陸部のタイヤ軸方向の幅と同一である、請求項１又は２記載のタイヤ。
【請求項４】
前記外側陸部のランド比は、前記内側陸部のランド比よりも大きい、請求項１ないし３のいずれかに記載のタイヤ。
【請求項５】
前記外側陸部のランド比は、前記内側陸部のランド比の１．０３〜１．０８倍である、請求項４記載のタイヤ。
【請求項６】
前記外側横溝の溝幅は、前記内側横溝の溝幅よりも小さい、請求項１ないし５のいずれかに記載のタイヤ。
【請求項７】
前記外側横溝の溝幅は、前記内側横溝の溝幅の０．４０〜０．６０倍である、請求項６記載のタイヤ。
【請求項８】
前記外側横溝のタイヤ軸方向に対する角度は、前記内側横溝のタイヤ軸方向に対する角度よりも大きい、請求項１ないし７のいずれかに記載のタイヤ。
【請求項９】
前記内側横溝のタイヤ軸方向に対する角度は、０〜１０°であり、
前記外側横溝のタイヤ軸方向に対する角度は、１５〜２５°である、請求項８記載のタイヤ。
【請求項１０】
前記外側横溝は、前記外側陸部のタイヤ軸方向の中心位置よりも前記第１主溝側で途切れている、請求項１ないし９のいずれかに記載のタイヤ。
【請求項１１】
前記外側横溝のタイヤ軸方向の長さは、前記外側陸部のタイヤ軸方向の幅の０．３０〜０．４０倍である、請求項１０記載のタイヤ。
【請求項１２】
前記内側横溝は、前記内側陸部のタイヤ軸方向の中心位置よりも前記第２主溝側で途切れている、請求項１ないし１１のいずれかに記載のタイヤ。
【請求項１３】
前記内側横溝のタイヤ軸方向の長さは、前記内側陸部のタイヤ軸方向の幅の０．６０〜０．７０倍である、請求項１２記載のタイヤ。
【請求項１４】
前記トレッド部は、前記第１主溝及び前記第２主溝で区分された３つの陸部で構成されている、請求項１ないし１３のいずれかに記載のタイヤ。
【発明の詳細な説明】
【技術分野】
【０００１】
本発明は、タイヤに関し、詳しくは、車両への装着の向きが指定されたタイヤに関する。
【背景技術】
【０００２】
下記特許文献１には、車両への装着の向きが指定されたタイヤが提案されている。このタイヤのトレッド部には、２本の周方向主溝によって３つの陸部が区分されている。また、前記タイヤは、操縦安定性を向上させるために、３つの陸部の内、最も幅が広い最広幅陸部が、車両装着時に車両外側となるように構成されている。
【先行技術文献】
【特許文献】
【０００３】
【特許文献１】特開２０１５−２１７９０７号公報
【発明の概要】
【発明が解決しようとする課題】
【０００４】
特許文献１のタイヤは、ノイズ性能及びウェット性能について、さらなる改善の余地があった。
【０００５】
本発明は、以上のような実状に鑑み案出されたもので、操縦安定性、ノイズ性能及びウェット性能をバランス良く向上させ得るタイヤを提供することを主たる目的としている。
【課題を解決するための手段】
【０００６】
本発明は、車両への装着の向きが指定されたタイヤであって、車両装着時に車両外側に位置する外側トレッド端と、車両装着時に車両内側に位置する内側トレッド端とが定められたトレッド部を有し、前記トレッド部は、前記外側トレッド端とタイヤ赤道との間でタイヤ周方向に連続して延びる第１主溝と、前記内側トレッド端とタイヤ赤道との間でタイヤ周方向に連続して延びる第２主溝と、前記外側トレッド端と前記第１主溝との間に区分された外側陸部と、前記第２主溝と前記内側トレッド端との間に区分された内側陸部とを有し、前記外側陸部には、前記第１主溝から延びかつ前記外側陸部内で途切れる複数の外側横溝が設けられ、前記内側陸部には、前記内側トレッド端から延びかつ前記内側陸部内で途切れる複数の内側横溝が設けられている。
【０００７】
本発明のタイヤにおいて、前記外側陸部のタイヤ軸方向の幅、及び、前記内側陸部のタイヤ軸方向の幅は、それぞれ、トレッド幅の０．２５〜０．３５倍であるのが望ましい。
【０００８】
本発明のタイヤにおいて、前記外側陸部のタイヤ軸方向の幅は、前記内側陸部のタイヤ軸方向の幅と同一であるのが望ましい。
【０００９】
本発明のタイヤにおいて、前記外側陸部のランド比は、前記内側陸部のランド比よりも大きいのが望ましい。
【００１０】
本発明のタイヤにおいて、前記外側陸部のランド比は、前記内側陸部のランド比の１．０３〜１．０８倍であるのが望ましい。
【００１１】
本発明のタイヤにおいて、前記外側横溝の溝幅は、前記内側横溝の溝幅よりも小さいのが望ましい。
【００１２】
本発明のタイヤにおいて、前記外側横溝の溝幅は、前記内側横溝の溝幅の０．４０〜０．６０倍であるのが望ましい。
【００１３】
本発明のタイヤにおいて、前記外側横溝のタイヤ軸方向に対する角度は、前記内側横溝のタイヤ軸方向に対する角度よりも大きいのが望ましい。
【００１４】
本発明のタイヤにおいて、前記内側横溝のタイヤ軸方向に対する角度は、０〜１０°であり、前記外側横溝のタイヤ軸方向に対する角度は、１５〜２５°であるのが望ましい。
【００１５】
本発明のタイヤにおいて、前記外側横溝は、前記外側陸部のタイヤ軸方向の中心位置よりも前記第１主溝側で途切れているのが望ましい。
【００１６】
本発明のタイヤにおいて、前記外側横溝のタイヤ軸方向の長さは、前記外側陸部のタイヤ軸方向の幅の０．３０〜０．４０倍であるのが望ましい。
【００１７】
本発明のタイヤにおいて、前記内側横溝は、前記内側陸部のタイヤ軸方向の中心位置よりも前記第２主溝側で途切れているのが望ましい。
【００１８】
本発明のタイヤにおいて、前記内側横溝のタイヤ軸方向の長さは、前記内側陸部のタイヤ軸方向の幅の０．６０〜０．７０倍であるのが望ましい。
【００１９】
本発明のタイヤにおいて、前記トレッド部は、前記第１主溝及び前記第２主溝で区分された３つの陸部で構成されているのが望ましい。
【発明の効果】
【００２０】
本発明のタイヤのトレッド部は、外側トレッド端とタイヤ赤道との間でタイヤ周方向に連続して延びる第１主溝と、内側トレッド端とタイヤ赤道との間でタイヤ周方向に連続して延びる第２主溝と、外側トレッド端と前記第１主溝との間に区分された外側陸部と、第２主溝と内側トレッド端との間に区分された内側陸部とを有する。
【００２１】
本発明において、外側陸部には、第１主溝から延びかつ外側陸部内で途切れる複数の外側横溝が設けられている。外側横溝は、第１主溝とともに優れた排水性を発揮する。また、外側横溝は、外側陸部の第１主溝付近の剛性を適度に緩和するため、外側陸部の第１主溝側の端縁が接地するときの打音を小さくするのに役立つ。しかも、外側横溝は、外側陸部内で途切れることにより、外側陸部の外側トレッド端付近の剛性を維持できる。このため、旋回時の外側陸部の過度な変形が抑制され、ひいては操縦安定性が維持される。
【００２２】
本発明において、内側陸部には、内側トレッド端から延びかつ内側陸部内で途切れる複数の内側横溝が設けられている。内側陸部には、直進時に高い接地圧が作用する傾向があるため、内側横溝は、直進時に高い排水性を発揮できる。また、内側横溝は、内側陸部の内側トレッド端付近の剛性を適度に緩和するため、内側トレッド端が接地するときの打音を小さくすることができる。しかも、内側横溝は、内側陸部内で途切れているため、内側陸部の第２主溝側の剛性を高く維持する。これにより、旋回時、タイヤの接地面の中心が外側陸部側に移動するときにおいて、内側陸部の急激な変形が抑制される。したがって、旋回時の操舵の手応えがリニアになり、優れた操縦安定性が得られる。
【００２３】
以上の通り、本発明のタイヤは、操縦安定性、ノイズ性能及びウェット性能をバランス良く向上させることができる。
【図面の簡単な説明】
【００２４】
【図１】本発明の一実施形態のタイヤのトレッド部の展開図である。
【図２】図１の内側陸部の拡大図である。
【図３】図２のＡ−Ａ線断面図である。
【図４】図１の外側陸部の拡大図である。
【図５】図４のＢ−Ｂ線断面図である。
【図６】図１の中間陸部の拡大図である。
【図７】図６のＣ−Ｃ線断面図である。
【図８】比較例のタイヤのトレッド部の展開図である。
【発明を実施するための形態】
【００２５】
以下、本発明の実施の一形態が図面に基づき説明される。
図１は、本実施形態のタイヤ１のトレッド部２の展開図が示されている。本実施形態のタイヤ１は、例えば、乗用車用の空気入りタイヤとして構成される。本実施形態のタイヤ１は、とりわけ、軽自動車用のタイヤとして用いられるのが望ましい。
【００２６】
図１に示されるように、本実施形態のタイヤ１は、例えば、車両への装着の向きが指定されている。車両への装着の向きは、例えば、タイヤ１のサイドウォール部（図示省略）に文字や図形などで表示される。タイヤ１が車両に装着された場合、図１の右側が車両内側に対応し、図１の左側が車両外側に対応している。
【００２７】
車両への装着の向きが指定されることにより、トレッド部２には、車両装着時に車両内側に位置する内側トレッド端Ｔｉと、車両装着時に車両外側に位置する外側トレッド端Ｔｏとが定められている。
【００２８】
内側トレッド端Ｔｉ及び外側トレッド端Ｔｏは、空気入りタイヤの場合、正規状態のタイヤ１に正規荷重が負荷されキャンバー角０°で平面に接地したときの最もタイヤ軸方向外側の接地位置である。正規状態とは、タイヤが正規リムにリム組みされかつ正規内圧が充填され、しかも、無負荷の状態である。本明細書において、特に断りがない場合、タイヤ各部の寸法等は、正規状態で測定された値である。
【００２９】
「正規リム」は、タイヤが基づいている規格を含む規格体系において、当該規格がタイヤ毎に定めるリムであり、例えばＪＡＴＭＡであれば "標準リム" 、ＴＲＡであれば"Design Rim" 、ＥＴＲＴＯであれば "Measuring Rim" である。
【００３０】
「正規内圧」は、タイヤが基づいている規格を含む規格体系において、各規格がタイヤ毎に定めている空気圧であり、ＪＡＴＭＡであれば "最高空気圧" 、ＴＲＡであれば表"TIRE LOAD LIMITS AT VARIOUS COLD INFLATION PRESSURES" に記載の最大値、ＥＴＲＴＯであれば "INFLATION PRESSURE" である。
【００３１】
「正規荷重」は、タイヤが基づいている規格を含む規格体系において、各規格がタイヤ毎に定めている荷重であり、ＪＡＴＭＡであれば "最大負荷能力" 、ＴＲＡであれば表"TIRE LOAD LIMITS AT VARIOUS COLD INFLATION PRESSURES" に記載の最大値、ＥＴＲＴＯであれば"LOAD CAPACITY" である。
【００３２】
トレッド部２は、タイヤ赤道Ｃを挟んでタイヤ周方向に連続して延びる第１主溝３及び第２主溝４を有している。
【００３３】
第１主溝３及び第２主溝４は、路面上の水をタイヤ後方に排出するために、比較的大きな幅と深さでタイヤ周方向に連続して延びている。好ましい態様では、各主溝は、５mm以上、より好ましくは６mm以上の溝幅及び深さを有する。また、各主溝の溝幅Ｗ１は、例えば、トレッド幅ＴＷの８．０％〜１３．０％であり、望ましくは９．０％〜１１．０％である。トレッド幅ＴＷは、前記正規状態における内側トレッド端Ｔｉから外側トレッド端Ｔｏまでのタイヤ軸方向の距離である。各主溝は、例えば、タイヤ周方向に沿って真っ直ぐに延びている。他の態様では、各主溝は、ジグザグや波状等の非直線状であっても良い。
【００３４】
第１主溝３は、例えば、タイヤ赤道Ｃと外側トレッド端Ｔｏとの間に配されている。第２主溝４は、例えば、タイヤ赤道Ｃと内側トレッド端Ｔｉとの間に配されている。タイヤ赤道Ｃから第１主溝３又は第２主溝４の溝中心線までのタイヤ軸方向の距離Ｌ１は、例えば、トレッド幅ＴＷの０．１０〜０．２０倍であるのが望ましい。望ましい態様では、タイヤ赤道Ｃから第１主溝３の溝中心線までのタイヤ軸方向の距離と、タイヤ赤道Ｃから第２主溝４の溝中心線までのタイヤ軸方向の距離との差が、トレッド幅ＴＷの３％未満である。
【００３５】
トレッド部２は、例えば、第１主溝３及び第２主溝４に区分された３つの陸部で構成されている。具体的には、トレッド部２は、外側陸部６と、中間陸部７と、内側陸部８とで構成されている。外側陸部６は、外側トレッド端Ｔｏと第１主溝３との間に区分されている。中間陸部７は、第１主溝３と第２主溝４との間に区分されている。内側陸部８は、内側トレッド端Ｔｉと第２主溝４との間に区分されている。本実施形態のトレッド部２は、タイヤ赤道Ｃについて非対称のパターンを有している。
【００３６】
本発明において、外側陸部６には、複数の外側横溝２３が設けられている。外側横溝２３は、第１主溝３から延びかつ外側陸部６内で途切れている。外側横溝２３は、第１主溝３とともに優れた排水性を発揮する。また、外側横溝２３は、外側陸部６の第１主溝３付近の剛性を適度に緩和するため、外側陸部６の第１主溝３側の端縁が接地するときの打音を小さくするのに役立つ。しかも、外側横溝２３は、外側陸部６内で途切れることにより、外側陸部６の外側トレッド端Ｔｏ付近の剛性を維持できる。このため、旋回時の外側陸部６の過度な変形が抑制され、ひいては操縦安定性が維持される。
【００３７】
内側陸部８には、複数の内側横溝２０が設けられている。内側横溝２０は、内側トレッド端Ｔｉから延びかつ内側陸部８内で途切れている。内側陸部８には、直進時に高い接地圧が作用する傾向があるため、内側横溝２０は、直進時に高い排水性を発揮できる。また、内側横溝２０は、内側陸部８の内側トレッド端Ｔｉ付近の剛性を適度に緩和するため、内側トレッド端Ｔｉが接地するときの打音を小さくすることができる。しかも、内側横溝２０は、内側陸部８内で途切れているため、内側陸部８の第２主溝４側の剛性を高く維持する。これにより、旋回時、タイヤの接地面の中心が外側陸部６側に移動するときにおいて、内側陸部８の急激な変形が抑制される。したがって、旋回時の操舵の手応えがリニアになり、優れた操縦安定性が得られる。
【００３８】
以下、各部のさらに詳細な構成が説明される。図２には、内側陸部８の拡大図が示されている。図２に示されるように、内側陸部８のタイヤ軸方向の幅Ｗ３は、例えば、トレッド幅ＴＷ（図１に示され、以下、同様である。）の０．２５〜０．３５倍であるのが望ましい。
【００３９】
内側横溝２０の溝幅Ｗ４は、例えば、主溝の溝幅Ｗ１（図１に示す）の０．２５〜０．３５倍であるのが望ましい。
【００４０】
内側横溝２０のタイヤ軸方向の長さＬ５は、例えば、内側陸部８のタイヤ軸方向の幅Ｗ３の０．３０〜０．７０倍であり、より望ましくは０．６０〜０．７０倍である。内側横溝２０は、例えば、内側陸部８のタイヤ軸方向の中心位置よりも第２主溝４側で途切れているのがより望ましい。
【００４１】
内側横溝２０は、例えば、タイヤ軸方向に対して０〜１０°の角度θ３で配されている。望ましい態様では、内側横溝２０は、タイヤ軸方向に対する角度がタイヤ軸方向内側に向かって漸増している。
【００４２】
タイヤ周方向で隣り合う２つの内側横溝２０のタイヤ周方向の１ピッチ長さＰ２は、例えば、内側陸部８のタイヤ軸方向の幅Ｗ３よりも大きいのが望ましい。具体的には、内側横溝２０の前記１ピッチ長さＰ２は、内側陸部８の前記幅Ｗ３の１．０５〜１．１５倍であるのが望ましい。このような内側横溝２０の配置は、操縦安定性とウェット性能とをバランス良く高めることができる。
【００４３】
本実施形態の内側陸部８には、例えば、複数の内側サイプ２１が設けられている。なお、本明細書において、「サイプ」とは、幅が１．５mm未満の切れ込みを意味する。望ましい態様では、サイプの幅は、１．０mm以下である。
【００４４】
内側サイプ２１は、例えば、内側トレッド端Ｔｉから第２主溝４まで延びている。本実施形態では、例えば、内側サイプ２１と内側横溝２０とがタイヤ周方向に交互に設けられている。
【００４５】
内側サイプ２１は、例えば、タイヤ軸方向に対して内側横溝２０と同じ向きに傾斜している。内側サイプ２１のタイヤ軸方向に対する角度θ４は、例えば、５〜１５°である。本実施形態の内側サイプ２１は、タイヤ軸方向に対する角度がタイヤ軸方向内側に向かって漸増している。また、内側サイプ２１のタイヤ軸方向に対する最大の角度は、内側横溝２０のタイヤ軸方向に対する最大の角度よりも大きい。このような内側サイプ２１は、ウェット走行時、タイヤ軸方向の摩擦力を提供することができる。
【００４６】
タイヤ周方向で隣り合う２つの内側サイプ２１のタイヤ周方向の１ピッチ長さＰ３は、例えば、内側陸部８のタイヤ軸方向の幅Ｗ３よりも大きいのが望ましい。具体的には、内側サイプ２１の前記１ピッチ長さＰ３は、内側陸部８の前記幅Ｗ３の１．０５〜１．１５倍であるのが望ましい。また、本実施形態では、内側横溝２０と内側サイプ２１とが同じ１ピッチ長さで配されている。
【００４７】
図３には、図２の内側サイプ２１のＡ−Ａ線断面図が示されている。図３に示されるように、内側サイプ２１は、例えば、本体部２１ａと、本体部２１ａよりも小さい深さの浅底部２１ｂとを含んでいる。このような内側サイプ２１は、内側陸部８の剛性を維持し、操縦安定性をさらに高めることができる。
【００４８】
浅底部２１ｂは、例えば、内側横溝２０の途切れ端（図２に示す）よりもタイヤ赤道Ｃ側に設けられているのが望ましい。また、浅底部２１ｂは、内側横溝２０をタイヤ周方向に平行に仮想延長した領域と重複しないのが望ましい。本実施形態の浅底部２１ｂは、例えば、内側サイプ２１のタイヤ赤道Ｃ側の端部に設けられている。このような浅底部２１ｂは、内側陸部８の第２主溝４側の剛性を高く維持し、操縦安定性をさらに高めることができる。
【００４９】
ウェット性能と操縦安定性とをバランス良く高めるために、浅底部２１ｂの深さｄ２は、例えば、本体部２１ａの深さｄ１の０．３０〜０．６０倍であるのが望ましい。
【００５０】
図２に示されるように、内側陸部８には、内側トレッド端Ｔｉから第２主溝４まで延びる横溝が設けられていないのが望ましい。このような内側陸部８は、高い剛性を有し、優れた操縦安定性を発揮し得る。
【００５１】
図４には、外側陸部６の拡大図が示されている。図４に示されるように、外側陸部６のタイヤ軸方向の幅Ｗ５は、例えば、トレッド幅ＴＷの０．２５〜０．３５倍であるのが望ましい。より望ましい態様では、外側陸部６の前記幅Ｗ５は、内側陸部８のタイヤ軸方向の幅Ｗ３と同一である。
【００５２】
外側横溝２３の溝幅Ｗ７は、例えば、内側横溝２０の溝幅Ｗ４（図２に示す）よりも小さいのが望ましい。具体的には、外側横溝２３の溝幅Ｗ７は、内側横溝２０の溝幅Ｗ４の０．４０〜０．６０倍であるのが望ましい。これにより、内側横溝２０及び外側横溝２３のポンピング音がホワイトノイズ化され、ひいては優れたノイズ性能が得られる。また、このような外側横溝２３は、操縦安定性とウェット性能とをバランス良く高めることができる。
【００５３】
外側横溝２３のタイヤ軸方向の長さＬ８は、例えば、外側陸部６のタイヤ軸方向の幅Ｗ５の０．２５〜０．４５倍であり、より望ましくは０．３０〜０．４０倍である。外側横溝２３は、例えば、外側陸部６のタイヤ軸方向の中心位置よりも第１主溝３側で途切れているのがより望ましい。
【００５４】
外側横溝２３のタイヤ軸方向に対する角度θ７は、内側横溝２０のタイヤ軸方向に対する角度θ３よりも大きいのが望ましい。具体的には、外側横溝２３のタイヤ軸方向に対する角度θ７は、例えば、１５〜２５°である。
【００５５】
タイヤ周方向で隣り合う２つの外側横溝２３のタイヤ周方向の１ピッチ長さＰ６は、例えば、外側陸部６のタイヤ軸方向の幅Ｗ５よりも大きいのが望ましい。具体的には、外側横溝２３の前記１ピッチ長さＰ６は、外側陸部６の前記幅Ｗ５の１．０５〜１．１５倍である。このような外側横溝２３の配置は、操縦安定性とウェット性能とをバランス良く高めることができる。
【００５６】
本実施形態の外側陸部６には、例えば、複数の外側サイプ２５が設けられている。外側サイプ２５は、例えば、第１主溝３から外側トレッド端Ｔｏまで延びている。本実施形態では、例えば、外側サイプ２５と外側横溝２３とがタイヤ周方向に交互に設けられている。
【００５７】
外側サイプ２５は、例えば、タイヤ軸方向に対して外側横溝２３と同じ向きに傾斜している。外側サイプ２５のタイヤ軸方向に対する角度θ８は、例えば、１０〜２５°である。  本実施形態の外側サイプ２５は、タイヤ軸方向に対する角度がタイヤ軸方向内側に向かって漸増している。また、外側サイプ２５のタイヤ軸方向に対する最大の角度は、内側サイプ２１のタイヤ軸方向に対する最大の角度よりも大きい。このような外側サイプ２５は、ウェット走行時においてタイヤ軸方向の摩擦力を提供することができる。
【００５８】
タイヤ周方向で隣り合う２つの外側サイプ２５のタイヤ周方向の１ピッチ長さＰ７は、例えば、外側陸部６のタイヤ軸方向の幅Ｗ５よりも大きいのが望ましい。具体的には、外側サイプ２５の前記１ピッチ長さＰ７は、外側陸部６の前記幅Ｗ５の１．０５〜１．１５倍である。このような外側サイプ２５の配置は、操縦安定性とウェット性能とをバランス良く高めることができる。
【００５９】
図５には、図４の外側サイプ２５のＢ−Ｂ線断面図が示されている。図５に示されるように、外側サイプ２５は、例えば、本体部２５ａと、本体部２５ａよりも小さい深さの浅底部２５ｂとを含んでいる。このような外側サイプ２５は、外側陸部６の剛性を維持し、操縦安定性をさらに高めることができる。
【００６０】
外側サイプ２５の浅底部２５ｂは、例えば、外側陸部６のタイヤ軸方向の中心位置よりもタイヤ赤道Ｃ側に設けられている。本実施形態の浅底部２５ｂは、例えば、外側サイプ２５のタイヤ赤道Ｃ側の端部に設けられている。
【００６１】
外側サイプ２５の浅底部２５ｂのタイヤ軸方向の長さＬ１０は、例えば、内側サイプ２１の浅底部２１ｂのタイヤ軸方向の長さＬ９（図３に示す）よりも大きいのが望ましい。具体的には、外側サイプ２５の浅底部２５ｂの前記長さＬ１０は、内側サイプ２１の浅底部２１ｂの長さＬ９の１．３０〜２．００倍である。このような外側サイプ２５は、外側陸部６と内側陸部８に適度な剛性差を生じさせる。これにより、旋回時、タイヤの接地面の中心が外側陸部側に移動するときにおいて、操舵の手応えがリニアになり、優れた操縦安定性が得られる。なお、各浅底部の長さは、例えば、本体部側の深さが変化する部分を除いた領域で測定される。
【００６２】
ウェット性能と操縦安定性とをバランス良く高めるために、外側サイプ２５の浅底部２５ｂの深さｄ４は、例えば、外側サイプ２５の本体部２５ａの深さｄ３の０．３０〜０．６０倍であるのが望ましい。
【００６３】
図４に示されるように、外側陸部６には、外側トレッド端Ｔｏから第１主溝３まで延びる横溝が設けられていないのが望ましい。このような外側陸部６は、高い剛性を有し、優れた操縦安定性を発揮することができる。
【００６４】
外側陸部６のランド比は、内側陸部８のランド比よりも大きいのが望ましい。具体的には、外側陸部６のランド比は、内側陸部８のランド比の１．０３〜１．０８倍であるのが望ましい。このような外側陸部６は、操縦安定性をさらに高めることができる。なお、本明細書において、「ランド比」とは、各溝及びサイプを全て埋めた仮想接地面の全面積Ｓａに対する、実際の合計接地面積Ｓｂの比Ｓｂ／Ｓａである。
【００６５】
図６には、中間陸部７の拡大図が示されている。図６に示されるように、中間陸部７のタイヤ軸方向の幅Ｗ２は、例えば、トレッド幅ＴＷの０．１５〜０．２５倍であるのが望ましい。
【００６６】
中間陸部７は、例えば、タイヤ赤道Ｃ上に位置しているのが望ましい。本実施形態では、中間陸部７のタイヤ軸方向の中心位置が、タイヤ赤道Ｃ付近に配されている。より具体的には、タイヤ赤道Ｃと中間陸部７のタイヤ軸方向の中心位置とのタイヤ軸方向の距離が、中間陸部７のタイヤ軸方向の幅Ｗ２の１０％未満である。
【００６７】
中間陸部７には、中間陸部７を完全に横切る中間サイプ１０が設けられている。中間サイプ１０は、中央部１２、第１外側部１３及び第２外側部１４とを有している。中央部１２は、タイヤ軸方向に対して一方向に傾斜している。第１外側部１３は、第１主溝３側で中央部１２とは逆向きに傾斜している。第２外側部１４は、第２主溝４側で中央部１２とは逆向きに傾斜している。
【００６８】
このような中間サイプ１０は、そのエッジの全体が同時に接地するのを防ぐことができ、ひいてはエッジが接地するときの打音を小さくすることができる。
【００６９】
また、中間サイプ１０は、中間陸部７に接地圧が作用して中間サイプ１０が閉じたとき、接触したサイプ壁同士が噛み合い、中間サイプ１０を境界とした中間陸部７のせん断変形を抑制する。したがって、優れた操縦安定性が得られる。
【００７０】
中間サイプ１０は、例えば、滑らかな曲線状に延び、波の１サイクルを形成している。但し、このような態様に限定されるものではなく、中間サイプ１０は、例えば、一部が直線状に延びるものでも良い。
【００７１】
本実施形態の中央部１２は、タイヤ赤道Ｃを横切っている。また、中央部１２は、中間陸部７のタイヤ軸方向の中心位置を横切っている。中央部１２は、例えば、直線状に延びる部分１２ａを含み、この直線状の部分１２ａがタイヤ赤道Ｃを横切っている。中央部１２は、第１外側部１３又は第２外側部１４側に向かってタイヤ軸方向に対する角度が漸減する部分を含む。
【００７２】
中央部１２のタイヤ軸方向の長さＬ２は、例えば、中間陸部７のタイヤ軸方向の幅Ｗ２の０．５０倍以上であるのが望ましい。具体的には、中央部１２の前記長さＬ２は、例えば、中間陸部７の前記幅Ｗ２の０．５０〜０．７０倍である。このような中央部１２は、中間陸部７の偏摩耗を抑制しつつ、上述の効果を発揮することができる。
【００７３】
中央部１２のタイヤ軸方向に対する最大の角度θ１は、例えば、４５°未満であるのが望ましい。具体的には、中央部１２の前記角度θ１は、１０〜３０°であるのが望ましい。このような中央部１２は、ノイズ性能と操縦安定性とをバランス良く高めることができる。
【００７４】
本実施形態の第１外側部１３は、中央部１２から第１主溝３まで延びている。同様に、第２外側部１４は、中央部１２から第２主溝４まで延びている。
【００７５】
第１外側部１３のタイヤ軸方向の長さＬ３、及び、第２外側部１４のタイヤ軸方向の長さＬ４は、それぞれ、中央部１２のタイヤ軸方向の長さよりも小さいのが望ましい。本実施形態では、第１外側部１３の前記長さＬ３及び第２外側部１４の前記長さＬ４は、中間陸部７のタイヤ軸方向の幅Ｗ２の０．１０〜０．３０倍である。このような第１外側部１３及び第２外側部１４は、中間サイプ１０の両端付近の偏摩耗を抑制することができる。
【００７６】
第１外側部１３及び第２外側部１４のタイヤ軸方向に対する最大の角度θ２は、例えば、４５°未満であるのが望ましい。具体的には、第１外側部１３及び第２外側部１４の前記角度θ２は、例えば、１０〜３０°である。望ましい態様では、第１外側部１３及び第２外側部１４の前記角度θ２は、中央部１２のタイヤ軸方向に対する角度θ１と同一、又は、これよりも小さい。これにより、中間サイプ１０の両端付近の偏摩耗がさらに抑制される。
【００７７】
本実施形態では、第１外側部１３及び第２外側部１４は、それぞれ、中央部１２からタイヤ軸方向外側に向かってタイヤ軸方向に対する角度が漸増しているのが望ましい。これにより、中間サイプ１０の端部が接地するときの打音がさらに小さくなり、ノイズ性能が向上する。
【００７８】
タイヤ周方向で隣り合う２つの中間サイプ１０のタイヤ周方向の１ピッチ長さＰ１は、例えば、中間陸部７のタイヤ軸方向の幅Ｗ２と同一、又は、前記幅Ｗ２よりも小さい。具体的には、中間サイプ１０の１ピッチ長さＰ１は、中間陸部７の前記幅Ｗ２の０．５０〜１．００倍である。また、中間サイプ１０の１ピッチ長さＰ１は、例えば、第１主溝３の溝幅よりも大きいのが望ましい。このような中間サイプ１０の配置は、中間陸部７の過度な剛性低下を抑制するのに役立つ。
【００７９】
図７には、図６の中間サイプ１０のＣ−Ｃ線断面図が示されている。図７に示されるように、中間サイプ１０は、例えば、本体部１０ａと、本体部１０ａよりも小さい深さの浅底部１０ｂとを含んでいる。本実施形態の浅底部２５ｂは、例えば、中間サイプ１０の第１外側部１３及び第２外側部１４（図６に示す）のそれぞれに形成されている。
【００８０】
中間サイプ１０の浅底部１０ｂのタイヤ軸方向の長さＬ１１は、例えば、外側サイプ２５の浅底部２５ｂのタイヤ軸方向の長さＬ１０（図５に示す）よりも小さいのが望ましい。また、中間サイプ１０の浅底部１０ｂの前記長さＬ１１は、例えば、内側サイプ２１の浅底部２１ｂのタイヤ軸方向の長さＬ９（図３に示す）よりも小さいのが望ましい。具体的には、中間サイプ１０の浅底部１０ｂの前記長さＬ１１は、内側サイプ２１の浅底部２１ｂの前記長さＬ９の０．４０〜０．６０倍である。このような外側サイプ２５は、操縦安定性とノイズ性能とをバランス良く高めるのに役立つ。
【００８１】
ウェット性能と操縦安定性とをバランス良く高めるために、中間サイプ１０の浅底部１０ｂの深さｄ６は、例えば、中間サイプ１０の本体部１０ａの深さｄ５の０．３０〜０．６０倍であるのが望ましい。
【００８２】
本実施形態の中間陸部７には、上述の中間サイプ１０のみが配され、これ以外の溝やサイプが配されていない。このような中間陸部７は、高い剛性を有し、優れた操縦安定性を発揮するのに役立つ。
【００８３】
図１に示されるように、本実施形態のタイヤ１は、軽自動車等の小排気量の乗用車用として好適に使用される。このため、トレッド幅ＴＷは、例えば、９０〜１２０mmであるのが望ましい。
【００８４】
以上、本発明の実施形態のタイヤが詳細に説明されたが、本発明は、上記の具体的な実施形態に限定されることなく、種々の態様に変更して実施され得る。
【実施例】
【００８５】
図１の基本トレッドパターンを有するサイズ１５５／６５Ｒ１４の空気入りタイヤが、表１の仕様に基づき試作された。比較例として、図８に示されるトレッドパターンを有するタイヤが試作された。図８に示されるように、比較例のタイヤの外側陸部ａには、外側トレッド端Ｔｏから延びかつ外側陸部ａ内で途切れる第１横溝ｂが設けられている。第１横溝ｂは、図１の外側横溝２３と同じ溝幅及び長さを有している。また、比較例のタイヤの内側陸部ｃには、第２主溝ｄから延びかつ内側陸部ｃ内で途切れる第２横溝ｅが設けられている。図８の第２横溝ｅは、図１の内側横溝２０と同じ溝幅及び長さを有している。比較例のトレッドパターンは、上記の点を除き、図１のものと実質的に同じである。各テストタイヤの操縦安定性、ノイズ性能及びウェット性能がテストされた。各テストタイヤの共通仕様やテスト方法は、以下の通りである。
リム：１４×４．５Ｊ
タイヤ内圧：２４０kPa
テスト車両：排気量６６０cc、前輪駆動車
タイヤ装着位置：全輪
【００８６】
＜操縦安定性＞
上記テスト車両で周回路を走行したときのレーンチェンジ及び旋回時の操縦安定性が、運転者の官能により評価された。なお、この評価は、テスト車両を４０〜８０km/hの低・中速域、及び、１００〜１２０km/hの高速域を含む速度域で走行させて実施された。結果は、比較例を１００とする評点であり、数値が大きい程、操縦安定性が優れていることを示す。
【００８７】
＜ノイズ性能＞
上記テスト車両で凹凸を含むドライ路面を４０〜１００km/hで走行し、このときの車内のノイズ（１００〜１６０Hz）の最大の音圧が測定された。結果は、比較例の前記音圧を１００とする指数であり、数値が小さい程、車内騒音が小さく、ノイズ性能に優れていることを示す。
【００８８】
＜ウェット性能＞
上記テスト車両でウェット路面を走行したときの性能が、運転者の官能により評価された。結果は、比較例を１００とする評点であり、数値が大きい程、ウェット性能が優れていることを示す。
テストの結果が表１に示される。
【００８９】
【表１】
2020059459.tif 000003
【００９０】
テストの結果、実施例のタイヤは、操縦安定性、ノイズ性能及びウェット性能が向上していることが確認できた。
【符号の説明】
【００９１】
２  トレッド部
３  第１主溝
４  第２主溝
６  外側陸部
８  内側陸部
２０  内側横溝
２３  外側横溝
Ｔｏ  外側トレッド端
Ｔｉ  内側トレッド端
【図１】
2020059459.tif 000004
【図２】
2020059459.tif 000005
【図３】
2020059459.tif 000006
【図４】
2020059459.tif 000007
【図５】
2020059459.tif 000008
【図６】
2020059459.tif 000009
【図７】
2020059459.tif 000010
【図８】
2020059459.tif 000011